(57)【要約】【課題】異なる高さの被包装物に対応することが可能な包装体を提供する。【解決手段】包装体１０Ａは、被包装物ＷＫを保持可能な底面１４を形成する底面形成部１１と、被包装物ＷＫを間に挟んで底面１４から立上げることで相互に対向する一対の側面１５、１６を形成する一対の側面形成部１２、１３とを備え、一対の側面形成部１２、１３は、被包装物ＷＫの底面１４からの長さに対応させて、当該側面構成部１２、１３を被包装物ＷＫ側に折曲げ可能な複数の天面形成折曲げ線Ｌ１〜Ｌ９、Ｒ１〜Ｒ９をそれぞれ有し、各天面形成折曲げ線Ｌ１〜Ｌ９、Ｒ１〜Ｒ９で折曲げることで、底面１４に対向する一対の天面１７、１８を形成する天面形成部１９、２０をそれぞれ形成可能に設けられている。【選択図】図１
2016022972.tif 000002
【特許請求の範囲】
【請求項１】
被包装物を保持可能な底面を形成する底面形成部と、前記被包装物を間に挟んで前記底面から立上げることで相互に対向する一対の側面を形成する一対の側面形成部とを備え、
前記一対の側面形成部は、前記被包装物の前記底面からの長さに対応させて、当該側面形成部を前記被包装物側に折曲げ可能な複数の天面形成折曲げ線をそれぞれ有し、各天面形成折曲げ線で折り曲げることで、前記底面に対向する天面を形成する天面形成部をそれぞれ形成可能に設けられていることを特徴とする包装体。
【請求項２】
被包装物を保持可能な底面を形成する底面形成部と、前記被包装物を間に挟んで前記底面から立上げることで相互に対向する一対の側面を形成する一対の側面形成部とを備え、
前記一対の側面形成部は、前記被包装物を収容する外装ケースの外装底面から外装天面までの長さに対応させて、当該側面形成部を前記被包装物側に折曲げ可能な複数の天面形成折曲げ線をそれぞれ有し、各天面形成折曲げ線で折曲げることで、前記底面に対向する天面を形成する天面形成部をそれぞれ形成可能に設けられていることを特徴とする包装体。
【請求項３】
前記一対の側面形成部は、前記底面形成部とは反対側となる先端部側にそれぞれ引掛け部を有していることを特徴とする請求項１又は請求項２に記載の包装体。
【請求項４】
前記底面形成部からの前記一対の側面形成部の立上状態を維持可能な立上維持手段を有していることを特徴とする請求項１から請求項３のいずれか一項に記載の包装体。
【発明の詳細な説明】
【技術分野】
【０００１】
本発明は、被包装物を包装する包装体に関する。
【背景技術】
【０００２】
被包装物（物品）を包装する包装体として、特許文献１には、１枚の収納材を折曲げることによって矩形枠形状に組み立てられる収納装置が記載されている。かかる収納装置は、所定位置に形成された折り目線で収納材を折曲げることによって、底板と一対の側板と蓋板とで形成される物品収納区間に被包装物を収納するようになっている。
【０００３】
また、特許文献２には、１枚のパッドと被包装物（容器充填商品）とが一体化されたフィルム包装物と、フィルム包装物を収容する外装用箱体とで構成された商品包装体が記載されている。かかる商品包装体は、所定位置に形成された罫線でパッドを折曲げて折り曲げ片を形成し、当該折り曲げ片の高さに合わせた外装用箱体にフィルム包装物を収容するようになっている。
【先行技術文献】
【特許文献】
【０００４】
【特許文献１】特開平１１−１１４６４号公報
【特許文献２】特開２００８−７４４６０号公報
【発明の概要】
【発明が解決しようとする課題】
【０００５】
しかしながら、特許文献１に記載の収納装置では、一対の側板の高さが折り目線によって一定となってしまうので、被包装物が側板よりも低い場合には、被包装物と蓋板との間に大きな隙間ができて包装効率が悪くなる。また、被包装物が側板よりも高い場合には、当該被包装物を収納することができない。従って、特許文献１に記載の収納装置は、異なる高さの被包装物に対応することができず、被包装物の高さに合わせて複数のものを用意しなければならないという問題がある。
【０００６】
また、特許文献２に記載のパッドでは、折り曲げ片の高さが一定となってしまうため、１つの外装用箱体の専用のものになってしまい、異なる高さの外装用箱体に対応することができないという問題がある。
【０００７】
本発明の目的は、異なる高さの被包装物又は外装ケースに対応することが可能な包装体を提供することである。
【課題を解決するための手段】
【０００８】
前記課題を解決するために、本発明の一形態である包装体は、被包装物を保持可能な底面を形成する底面形成部と、前記被包装物を間に挟んで前記底面から立上げることで相互に対向する一対の側面を形成する一対の側面形成部とを備え、前記一対の側面形成部は、前記被包装物の前記底面からの長さに対応させて、当該側面形成部を前記被包装物側に折曲げ可能な複数の天面形成折曲げ線をそれぞれ有し、各天面形成折曲げ線で折り曲げることで、前記底面に対向する天面を形成する天面形成部をそれぞれ形成可能に設けられている。
【０００９】
また、本発明の別の一形態である包装体は、被包装物を保持可能な底面を形成する底面形成部と、前記被包装物を間に挟んで前記底面から立上げることで相互に対向する一対の側面を形成する一対の側面形成部とを備え、前記一対の側面形成部は、前記被包装物を収容する外装ケースの外装底面から外装天面までの長さに対応させて、当該側面形成部を前記被包装物側に折曲げ可能な複数の天面形成折曲げ線をそれぞれ有し、各天面形成折曲げ線で折曲げることで、前記底面に対向する天面を形成する天面形成部をそれぞれ形成可能に設けられている。
【００１０】
さらに、前記一対の側面形成部は、前記底面形成部とは反対側となる先端部側にそれぞれ引掛け部を有しているようにしてもよい。
【００１１】
さらに、前記包装体は、前記底面形成部からの前記一対の側面形成部の立上状態を維持可能な立上維持手段を有しているようにしてもよい。
【発明の効果】
【００１２】
本発明によれば、一対の側面形成部それぞれに、被包装物の底面からの長さに対応させて、又は、被包装物を収容する外装ケースの外装底面から外装天面までの長さに対応させて、当該側面形成部を被包装物側に折曲げ可能な天面形成折曲げ線が複数設けられているので、異なる高さの被包装物又は外装ケースに対応することが可能な包装体を提供することができる。
【００１３】
また、引掛け部を有する場合、天面を形成するまでの間、又は、被包装物が保持された包装体を外装ケースに挿入するまでの間に、被包装物が保持された包装体を運びやすくすることができる。
【００１４】
また、立上維持手段を有する場合、立上げられた側面形成部が閉じて包装作業の邪魔となったり、側面形成部が開いて作業スペースが広くなったりすることを防止することができる。
【図面の簡単な説明】
【００１５】
【図１】第１実施形態にかかる包装体の展開状態を示す平面図。
【図２】（ａ）〜（ｄ）は第１実施形態に係る包装体の使用状態を示す斜視図。
【図３】（ａ）（ｂ）は第２実施形態にかかる包装体の使用状態を示す斜視図。
【図４】（ａ）は変形例を示す平面図、（ｂ）は（ａ）のＡＡ部拡大斜視図。
【発明を実施するための形態】
【００１６】
以下、本発明の実施形態について説明する。
なお、本明細書及び図面におけるＸ軸、Ｙ軸、Ｚ軸は、それぞれが直交する関係にあり、Ｘ軸及びＹ軸は所定平面内の軸とし、Ｚ軸は当該所定平面に直交する軸とする。さらに、各実施形態では、Ｙ軸と平行な図１の下方から観た場合を基準とし、方向を示した場合、「上」がＺ軸の矢印方向で「下」がその逆方向、「左」がＸ軸の矢印方向で「右」がその逆方向、「前」がＹ軸の矢印方向で「後」がその逆方向とする。
【００１７】
＜第１実施形態＞
図１において、第１実施形態にかかる包装体１０Ａは、被包装物ＷＫを保持可能な底面１４を形成する底面形成部１１と、被包装物ＷＫを間に挟んで底面１４から立上げることで相互に対向する一対の側面１５、１６を形成する一対の側面形成部１２、１３とを備えている。
包装体１０Ａは、紙、厚紙、ダンボール、樹脂、ゴム、プラスチック、木板、金属等の単体の材料又は、それらを適宜に組み合わせた材料によって一体に形成されている。
【００１８】
底面形成部１１は、包装体１０Ａを左右方向に３等分した中央に位置する部分であり、被包装物ＷＫが載置され、当該被包装物ＷＫをシュリンク包装、ロープ掛け、ステープラ、接着剤、粘着剤、接着シート、粘着シート、溶着等の保持手段によって保持することができる。
【００１９】
一対の側面形成部１２、１３は、包装体１０Ａを左右方向に３等分した左右に位置する部分であり、被包装物ＷＫの底面１４からの長さに対応させて、当該側面形成部１２、１３を被包装物ＷＫ側に折曲げ可能な複数の天面形成折曲げ線Ｌ１〜Ｌ９、Ｒ１〜Ｒ９をそれぞれ有し、各天面形成折曲げ線Ｌ１〜Ｌ９、Ｒ１〜Ｒ９を折曲げることで、底面１４に対向する天面１７、１８を形成する天面形成部１９、２０をそれぞれ形成可能に設けられている。天面形成折曲げ線Ｌ１〜Ｌ９、Ｒ１〜Ｒ９は、前後方向に延設されたライン状の折曲げ線である。
各天面形成折曲げ線Ｌ１〜Ｌ９、Ｒ１〜Ｒ９は、それぞれ略同一の間隔とされ、プレス装置や型付け装置等の押圧手段による押し跡、切断刃やレーザ等の切断手段による反対面に貫通することのない切り込みや凹溝、同切断手段による反対面に貫通してもよいし貫通することのない断続的な切り込み等によって形成される。
また、一対の側面形成部１２、１３は、底面形成部１１とは反対側となる各先端部１２ｂ、１３ｂ側にそれぞれ引掛け部１２ａ、１３ａを有している。引掛け部１２ａ、１３ａは、作業者又は、詰込装置や包装装置等の包装手段（以下それらを併せて「使用者」という）が包装体１０Ａを折り曲げたり搬送したりする際に、手指又は、フックやチャック等の引掛け手段（以下それらを併せて「保持媒体」という）を引掛けることが可能な孔部である。
【００２０】
続いて、包装体１０Ａによる被包装物ＷＫの包装方法について説明する。
【００２１】
被包装物ＷＫが０個若しくは、被包装物ＷＫが例えば、紙１枚〜数枚までの場合、すなわち、被包装物ＷＫを包装していないで包装体１０Ａを省スペース化して収納する場合や、被包装物ＷＫを包装するにあたって上下方向に殆どスペースが必要ない場合、使用者が被包装物ＷＫを載置することなく若しくは、被包装物ＷＫを底面１４上に載置し、当該被包装物ＷＫを保持手段によって底面形成部１１に保持させる。そして、使用者が引掛け部１２ａに保持媒体を引掛け、図２（ａ）に示すように、天面形成折曲げ線Ｌ１で包装体１０Ａを１８０°折曲げ、側面形成部１２を底面形成部１１に重ねるように折畳む。続いて、使用者が引掛け部１３ａに保持媒体を引掛け、天面形成折曲げ線Ｒ１で包装体１０Ａを１８０°折曲げ、側面形成部１３を側面形成部１２上に重ねるように折畳む。このとき、側面１５、１６は、形成されない若しくは、殆ど形成されることはなく、各天面形成折曲げ線Ｌ１、Ｒ１で折畳まれた各側面形成部１２、１３の全部若しくは、その殆どが天面形成部１９、２０となり、天面１７、１８が形成される。
以上のようにして包装体１０Ａが折畳まれると、使用者によって先端部１３ｂがテープＴＰや図示しない接着剤等の固定手段で側面形成部１２及び／又は底面形成部１１に固定される。
なお、天面形成部２０及び底面形成部１１の前側と後側とをそれぞれ固定手段によって固定してもよい。
また、先に側面形成部１３を折畳んだ後、側面形成部１２を折畳み、先端部１２ｂを固定手段で側面形成部１３及び／又は底面形成部１１に固定したり、天面形成部１９及び底面形成部１１の前側と後側とをそれぞれ固定手段によって固定してもよい。
【００２２】
次に、被包装物ＷＫが単数又は複数で上下方向にスペースが必要な場合、すなわち、図２（ｂ）に示すように、１個又は図示しない２個以上の被包装物ＷＫの上下方向の長さが各天面形成折曲げ線Ｌ２、Ｒ２に略対応している場合（同じ高さ又は同じ高さに近い場合）、使用者が上記と同様にして被包装物ＷＫを底面１４上に載置し、当該被包装物ＷＫを保持手段によって底面形成部１１に保持させる。そして、使用者が上記と同様にして、側面形成部１２が底面形成部１１から起立するように、天面形成折曲げ線Ｌ１で包装体１０Ａを９０°折曲げた後、側面形成部１２が底面形成部１１に対向するように、天面形成折曲げ線Ｌ２で当該側面形成部１２を９０°折曲げる。続いて、使用者が上記と同様にして、側面形成部１３が底面形成部１１から起立するように、天面形成折曲げ線Ｒ１で包装体１０Ａを９０°折曲げた後、側面形成部１３が底面形成部１１に対向するように、天面形成折曲げ線Ｒ２で当該側面形成部１３を９０°折曲げる。このとき、天面形成折曲げ線Ｌ１、Ｌ２間の側面形成部１２によって側面１５が形成され、天面形成折曲げ線Ｌ２から先端部１２ｂまでの間の側面形成部１２が天面形成部１９となって天面１７が形成される。また、天面形成折曲げ線Ｒ１、Ｒ２間の側面形成部１３によって側面１６が形成され、天面形成折曲げ線Ｒ２から先端部１３ｂまでの間の側面形成部１３が天面形成部２０となって天面１８が形成される。
そして、被包装物ＷＫを包装した包装体１０Ａは、上記と同様にして、使用者によって先端部１３ｂが固定手段で天面形成部１９及び／又は側面形成部１２に固定される。なお、天面形成部２０及び底面形成部１１の前側と後側とを固定手段によって固定してもよい。
また、先に側面形成部１３を折曲げた後、側面形成部１２を折曲げ、先端部１２ｂを固定手段で天面形成部２０及び／又は側面形成部１３に固定したり、天面形成部１９及び底面形成部１１の前側と後側とをそれぞれ固定手段によって固定したりしてもよい。
【００２３】
ここで、図２（ｃ）は、５個又は図示しない１〜４個又は６個以上の被包装物ＷＫの上下方向の長さが各天面形成折曲げ線Ｌ６、Ｒ６に略対応している場合である。この場合、上記と同様にして被包装物ＷＫを包装すると、各先端部１２ｂ、１３ｂが突き合された状態となるので、使用者は、各先端部１２ｂ、１３ｂを繋ぐように固定手段で固定するとよい。また、図２（ｄ）は、８個又は図示しない１〜７個又は９個以上の被包装物ＷＫの上下方向の長さが各天面形成折曲げ線Ｌ９、Ｒ９に略対応している場合である。この場合、上記と同様にして被包装物ＷＫを包装すると、各先端部１２ｂ、１３ｂが離間した状態となるので、使用者は、離間した各先端部１２ｂ、１３ｂを繋ぐように固定手段で固定するとよい。
【００２４】
以上のような第１実施形態によれば、一対の側面形成部１２、１３それぞれに、被包装物ＷＫの底面からの長さに対応させて、当該側面形成部１２、１３を被包装物ＷＫ側に折曲げ可能な天面形成折曲げ線Ｌ１〜Ｌ９、Ｒ１〜Ｒ９が複数設けられているので、異なる高さの被包装物ＷＫに対応することが可能な包装体１０Ａを提供することができる。
【００２５】
＜第２実施形態＞
続いて、本発明の第２実施形態にかかる包装体について、第１実施形態にかかる包装体１０Ａとの相違点を中心に説明する。
【００２６】
図３において、第２実施形態にかかる包装体１０Ｂは、被包装物ＷＫを保持可能な底面１４を形成する底面形成部１１と、被包装物ＷＫを間に挟んで底面１４から立上げることで相互に対向する一対の側面１５、１６を形成する一対の側面形成部１２、１３とを備えている。
【００２７】
一対の側面形成部１２、１３は、被包装物ＷＫを収容する外装ケース３０の外装底面３１から外装天面３３までの長さに対応させて、当該側面形成部１２、１３を被包装物ＷＫ側に折曲げ可能な複数の天面形成折曲げ線Ｌ１１〜Ｌ１４、Ｒ１１〜Ｒ１４をそれぞれ有し、各天面形成折曲げ線Ｌ１１〜Ｌ１４、Ｒ１１〜Ｒ１４で折曲げることで、底面１４に対向する天面１７、１８を形成する天面形成部１９、２０をそれぞれ形成可能に設けられている。
各天面形成折曲げ線Ｌ１１〜Ｌ１４、Ｒ１１〜Ｒ１４は、それぞれ略同一の間隔とされ、第１実施形態と同様にして形成される。
【００２８】
外装ケース３０は、第１実施形態の包装体１０Ａと同様の材料によって形成することができ、上方に設けられた内フラップ３２Ａ、３２Ｂと、外フラップ３２Ｃ、３２Ｄとによって天面３３が形成される。
【００２９】
続いて、包装体１０Ｂによる被包装物ＷＫの包装方法について説明する。
【００３０】
被包装物ＷＫが単数又は複数で上下方向にスペースが必要な場合、すなわち、図３（ａ）に示すように、１個又は図示しない２個以上の被包装物ＷＫの上下方向の長さが各天面形成折曲げ線Ｌ１１、Ｒ１１から各天面形成折曲げ線Ｌ１２、Ｒ１２までの長さ以下となる場合、使用者が被包装物ＷＫを底面１４上に載置し、当該被包装物ＷＫを保持手段によって底面形成部１１に保持させる。続いて、使用者が引掛け部１２ａ、１３ａそれぞれに保持媒体を引掛け、側面形成部１２、１３が底面形成部１１から起立するように、天面形成折曲げ線Ｌ１１、Ｒ１１で包装体１０Ｂそれぞれを９０°折曲げる。
続いて、使用者が外装底面３１から外装天面３３までの長さＨ１が包装体１０Ｂの底面形成部１１から各天面形成折曲げ線Ｌ１２、Ｒ１２までの長さと略同じである外装ケース３０を用意し、当該外装ケース３０の中に包装体１０Ｂを収容する。
【００３１】
次いで、使用者が、側面形成部１２が底面形成部１１に対向するように、天面形成折曲げ線Ｌ１２で当該側面形成部１２を９０°折曲げた後、側面形成部１３が底面形成部１１に対向するように、天面形成折曲げ線Ｒ１２で当該側面形成部１３を９０°折曲げる。このとき、天面形成折曲げ線Ｌ１１、Ｌ１２間の側面形成部１２によって側面１５が形成され、天面形成折曲げ線Ｌ１２から先端部１２ｂまでの間の側面形成部１２が天面形成部１９となって天面１７が形成される。また、天面形成折曲げ線Ｒ１１、Ｒ１２間の側面形成部１３によって側面１６が形成され、天面形成折曲げ線Ｒ１２から先端部１３ｂまでの間の側面形成部１３が天面形成部２０となって天面１８が形成される。
そして、使用者が内フラップ３２Ａ、３２Ｂを閉じた後、外フラップ３２Ｃ、３２Ｄを閉じ、当該外フラップ３２Ｃ、３２Ｄを固定手段で固定する。
なお、先に側面形成部１３を折曲げた後、側面形成部１２を折曲げてもよいし、天面形成折り曲げ線Ｌ１２、Ｒ１２で側面形成部１２、１３を折曲げた後に、包装体１０Ｂを外装ケース３０に収容してもよい。
【００３２】
ここで、図３（ｂ）は、７個又は図示しない１〜６個又は８個以上の被包装物ＷＫの上下方向の長さが各天面形成折曲げ線Ｌ１１、Ｒ１１から各天面形成折曲げ線Ｌ１３、Ｒ１３までよりも長く、各天面形成折曲げ線Ｌ１１、Ｒ１１から各天面形成折曲げ線Ｌ１４、Ｒ１４までの長さ以下となる場合である。この場合、上記と同様にして被包装物ＷＫを包装すると、各先端部１２ｂ、１３ｂが離間した状態となる。また、包装体１０Ｂは、外装底面３１から外装天面３３までの長さＨ３が包装体１０Ｂの底面１４から各天面形成折曲げ線Ｌ１４、Ｒ１４までの長さと略同じである外装ケース３０に収容される。つまり、本実施形態の場合、外装ケース３０は、外装底面３１から外装天面３３までの長さが、包装体１０Ｂの底面形成部１１から各天面形成折曲げ線Ｌ１２〜Ｌ１４、Ｒ１２〜Ｒ１４までの長さと略同じである３種類の外装ケース３０が用意される。なお、被包装物ＷＫが例えば、紙１枚〜数枚といったように、被包装物ＷＫを包装するにあたって上下方向に殆どスペースが必要ない場合、天面形成折曲げ線Ｌ１１、Ｒ１１で包装体１０Ｂをそれぞれ１８０°折畳み、このときの底面形成部１１から天面形成部１９、２０までの長さに対応する外装ケース３０に包装体１０Ｂを収容してもよい。
【００３３】
以上のような第２実施形態によれば、一対の側面形成部１２、１３それぞれに、被包装物ＷＫを収容する外装ケース３０の外装底面３１から外装天面３３までの長さに対応させて、当該側面形成部１２、１３を被包装物ＷＫ方向に折曲げ可能な天面形成折曲げ線Ｌ１１〜Ｌ１４、Ｒ１１〜Ｒ１４が複数設けられているので、異なる高さの外装ケース３０に対応することが可能な包装体１０Ｂを提供することができる。
【００３４】
なお、本発明の構成物は、前記実施形態で示した構成物に全く限定されることはない。例えば、図４に示すように、底面形成部１１からの一対の側面形成部１２、１３の立上状態を維持可能な立上維持手段２１を備えていてもよい。立上維持手段２１は、底面形成部１１の前後端縁１１Ａ、１１Ｂの各左右端領域にそれぞれに設けられた折曲げ片２１ａと、各折曲げ片に連接された挿入片２１ｂと、各側面形成部１２、１３における底面形成部１１寄りの前後両端領域それぞれに設けられた挿入孔２１ｃとを備えている。各底面形成部１１と折曲げ片２１ａとの境界部及び、各折曲げ片２１ａと挿入片２１ｂとの境界部には、天面形成折曲げ線と同様の第１、第２折曲げ線２１ｄ、２１ｅがそれぞれ形成されている、各挿入片２１ｂは、折曲げ片２１ａから遠ざかるに従って幅が広くなる台形形状に形成され、各挿入孔２１ｃは、側面形成部１３の前後端縁に向かうに従って幅が広くなる台形形状に形成されている（挿入孔２１ｃは、側面形成部１３の前後端縁に向かうに従って幅が狭くなる台形形状でもよいし、正方形や長方形でもよい）。
立上維持手段２１を機能させるにあたっては、図４（ｂ）に示すように、使用者が側面形成部１２、１３が起立するように、天面形成折曲げ線Ｌ１、Ｒ１で包装体１０Ａを９０°折曲げた状態で、各折曲げ片２１ａが起立するように、第１折曲げ線２１ｄで９０°折曲げ、各挿入片２１ｂを各挿入孔２１ｃに挿入させる。これにより、各挿入片２１ｂが各挿入孔２１ｃの周縁に係合し、底面形成部１１からの各側面形成部１２、１３の立上状態を維持することができる。
【００３５】
また、底面形成部１１、側面形成部１２、１３及び天面形成部１９、２０は、平面視で四角形、四角形以外の多角形、円形、楕円形、その他の形状でもよいし、それらによって形成される底面１４、一対の側面１５、１６及び天面１７、１８も四角形、多角形、円形、楕円形、その他の形状でもよい。
更に、底面形成部１１は、包装体１０Ａ、１０Ｂを左右方向に３等分した長さ以下でも以上でもよい。
底面形成部１１は、保持手段によって被包装物ＷＫを保持しなくてもよい。
【００３６】
側面形成部１２、１３は、包装体１０Ａ、１０Ｂを左右方向に３等分した長さ以上でも以下でもよい。
【００３７】
天面形成部１９、２０は、各天面形成部１９、２０が重なる場合に互いを係止可能なフック形状や、挿入片と挿入孔の組み合わせといった係止手段を備える構成でもよい。
【００３８】
天面形成折曲げ線は、各側面形成部１２、１３内で等間隔に設けられてもよいし、不等間隔に設けられてもよい。
また、天面形成折曲げ線の数は、前記した数に限定されない。
【００３９】
外装ケース３０の外形は、三角柱や五角柱といったその他の形状でもよい。
【００４０】
引掛け部１２ａ、１３ａは、使用者が保持媒体で保持可能であれば何ら限定されることはなく、例えば、フック状のものや糸や紐のようなもので構成してもよい。
引掛け部１２ａ、１３ａは、なくてもよい。引掛け部１２ａ、１３ａがない場合、保持媒体は、例えば包装体１０Ａ、１０Ｂを吸着したり接着保持したりする構成を採用すればよい。
【００４１】
立上維持手段２１は、挿入片２１ｂ及び挿入孔２１ｃが省略され、折曲げ片２１ａと側面形成部１２、１３のいずれかとをテープＴＰや接着剤等の固定手段等で固定する構成でもよい。
立上維持手段２１は、包装体１０Ｂにも適用可能である。
立上維持手段２１は、なくてもよい。
【００４２】
被包装物ＷＫは、紙、書籍、ノート、ケース入りＣＤやＤＶＤ、ケースなしＣＤやＤＶＤ、玩具、容器、生活用品、食品、機械部品、木材、鋼材、石材、樹脂材、陶器等の段積みが可能なものなら何ら限定されることはない。
被包装物ＷＫは、同じサイズのものであってもよいし、その上下方向の厚みや左右、前後方向の大きさが様々なサイズのものであってもよい。
【００４３】
包装体１０Ａ、１０Ｂは、左右一対の側面形成部１２、１３に加え、これらと同様の構成を有する前後一対の側面形成部を底面形成部１１に設けてもよい。
第１、第２実施形態の包装体１０Ａ、１０Ｂをそれぞれ２体ずつ使用して、被包装物ＷＫを左右側面及び前後側面で包装するようにしてもよい。
第１、第２実施形態において、被包装物ＷＫを包装した包装体１０Ａ、１０Ｂをシュリンク包装で包み込む包装手段を採用してもよい。
第２実施形態において、包装体１０Ｂの天面形成部１９、２０同士を固定手段で固定したり、包装体１０Ｂを外装ケース３０に固定したりしてもよい。
【符号の説明】
【００４４】
１０Ａ、１０Ｂ  包装体
１１    底面形成部
１２、１３  側面形成部
１４    底面
１５、１６  側面
１７、１８  天面
１９、２０  天面形成部
２１    立上維持手段
３０    外装ケース
３１    外装底面
３３    外装天面
Ｌ１〜Ｌ９、Ｌ１１〜Ｌ１４  天面形成折曲げ線
Ｒ１〜Ｒ９、Ｒ１１〜Ｒ１４  天面形成折曲げ線
ＷＫ    被包装物
【図１】
2016022972.tif 000003
【図２】
2016022972.tif 000004
【図３】
2016022972.tif 000005
【図４】
2016022972.tif 000006